(57)【要約】【課題】外箱に収納した物品の跳躍現象を簡単に防止でき、物品を保護できる梱包用緩衝材を提供する。【解決手段】物品を載せる底板１を、隣接する２辺が鈍角をなす多角形として、その一辺に端板２を、他辺に隅板３をそれぞれ連設し、端板２と隅板３の基端部を繋ぐ繋部４を設け、底板１の角を起点として、端板２と繋部４の境界に隅板３の方向へ傾斜した斜折線５を入れると共に、端板２の両側部に谷折線６を入れ、外箱１１へ挿入すると、端板２が斜折線５及び谷折線６に沿って内側へ傾くように折れ曲がり、この端板２により物品が押さえられ、隅板３が外箱１１の隣接する２枚の側板１２に当接するように外側へ傾いて起立し、この隅板３に支持されて外箱１１が補強されるようにする。【選択図】図３
2005298057.tif 000002
【特許請求の範囲】
【請求項１】
物品を載せる底板の隣接する２辺が鈍角をなすようにして、その一辺に端板を、他辺に隅板をそれぞれ連設し、端板と隅板の基端部を繋ぐ繋部を設け、底板の角を起点として、端板と繋部の境界に隅板の方向へ傾斜した斜折線を入れると共に、端板の両側部に谷折線を入れ、外箱へ挿入すると、端板が斜折線及び谷折線に沿って内側へ傾くように折れ曲がり、隅板が外箱の隣接する２枚の側板に当接するように外側へ傾いて起立するようにした梱包用緩衝材。
【請求項２】
前記隅板に、底板側から２本の切目線を入れて揺動片を形成すると共に、この揺動片の先端側に嵌合穴を形成し、物品の挿入に伴い、揺動片が物品の外周部に押されて揺動し、物品の外周部が嵌合穴に嵌まり込むと、揺動片が復元して、揺動片の先端部と物品の外周部とが係合するようにした請求項１に記載の梱包用緩衝材。
【発明の詳細な説明】
【技術分野】
【０００１】
この発明は、円形の照明器具等、外周に曲面を有する物品を梱包する際、外箱に挿入して物品の移動を規制する梱包用緩衝材に関するものである。
【背景技術】
【０００２】
例えば、下記特許文献１には、図５に示すように、円筒形の炊飯器Ｗの梱包に使用する段ボール製緩衝材として、矩形の底板５１の各辺に端板５２を連設し、端板５２を起立させて外箱５３の底部に挿入すると、端板５２が炊飯器Ｗの外周に当接して、炊飯器Ｗの移動が規制されるようにしたものが記載されている。
【特許文献１】登録実用新案第３００４４１６号公報
【発明の開示】
【発明が解決しようとする課題】
【０００３】
しかしながら、上記のような緩衝材では、輸送中の衝撃により物品が跳び上がる現象を防止することができず、この跳躍現象を防止するには、物品を上方から押さえる緩衝材を別途外箱に挿入する必要がある。
【０００４】
そこで、この発明は、外箱に収納した物品の跳躍現象を簡単に防止でき、物品を保護できる梱包用緩衝材を提供することを課題とする。
【課題を解決するための手段】
【０００５】
上記課題を解決するため、この発明では、物品を載せる底板の隣接する２辺が鈍角をなすようにして、その一辺に端板を、他辺に隅板をそれぞれ連設し、端板と隅板の基端部を繋ぐ繋部を設け、底板の角を起点として、端板と繋部の境界に隅板の方向へ傾斜した斜折線を入れると共に、端板の両側部に谷折線を入れ、外箱へ挿入すると、端板が斜折線及び谷折線に沿って内側へ傾くように折れ曲がり、この端板により物品が押さえられ、隅板が外箱の隣接する２枚の側板に当接するように外側へ傾いて起立し、この隅板に支持されて外箱が補強されるようにしたのである。
【０００６】
また、前記隅板に、底板側から２本の切目線を入れて揺動片を形成すると共に、この揺動片の先端側に嵌合穴を形成し、物品の挿入に伴い、揺動片が物品の外周部に押されて揺動し、物品の外周部が嵌合穴に嵌まり込むと、揺動片が復元して、揺動片の先端部と物品の外周部とが係合し、物品が保持されるようにしてもよい。
【発明の効果】
【０００７】
上記のように、この緩衝材では、外箱への挿入に際し、底板に物品を載せるだけで、内側へ傾いた端板により物品の外周部が押さえられるので、外箱内における物品の跳躍現象が防止され、また、隅板が外箱の側板を補強する支柱として機能するので、耐圧強度も向上し、物品が確実に保護される。
【発明を実施するための最良の形態】
【０００８】
以下、この発明の実施形態を添付図面に基づいて説明する。
【０００９】
この緩衝材は、円形の照明器具の梱包に使用するものであり、図１に示すような段ボール製のブランクから形成される。このブランクでは、底板１が変則八角形とされ、その周縁をなす各辺のうち、９０°ごとの短辺に端板２が連設され、この短辺に対し１３５°の鈍角をなす長辺に隅板３が連設されている。
【００１０】
端板２と隅板３の基端部は繋部４を介して繋がれており、底板１の角を起点として、端板２と繋部４の境界には、隅板３の方向へ傾斜した斜折線５が入れられ、端板２の両側部には、その先端縁に至る谷折線６が入れられている。また、隅板３と繋部４の境界には、底板１の角を起点として、隅部３の側縁の切込へ延びる斜折線７が入れられている。
【００１１】
また、前記隅板３には、底板１側から入れた２本の切目線間に揺動片８が形成されると共に、その先端側に底板１との境界に沿って嵌合穴９が形成され、揺動片８の先端には、嵌合穴９へ向けて突起１０が設けられている。そのほか、底板１と端板２の境界には、中央の連設部の両側に切目が入れられている。
【００１２】
上記のようなブランクの緩衝材を使用して、円形の照明器具を梱包する際には、図２に示すように、外箱１１において、側板１２の上縁から延びるフラップ１３を開いて、天面を開口させ、緩衝材を外箱１１のフラップ１３に載せる。このとき、緩衝材の端板２と外箱１１の側板１２の方向を一致させておく。
【００１３】
次に、図３に示すように、底板１に照明器具Ｓを載せると、照明器具Ｓの自重により底板１が外箱１１の内部へ下降し、これに伴い、斜折線７に沿って繋部４が起立しつつ、端板２が斜折線５及び谷折線６に沿って内側へ傾くように折れ曲がり、隅板３が外箱１１の隣接する２枚の側板１２に亘って当接するように外側へ傾いて起立する。
【００１４】
このように照明器具Ｓを梱包すると、内側へ傾いた端板２により照明器具Ｓの外周部が押さえられるので、外箱１１の内部における照明器具Ｓの跳躍現象が防止され、また、隅板３が外箱１１の側板１２を補強する支柱として機能するので、耐圧強度も向上し、外部からの衝撃や積上荷重から照明器具Ｓが確実に保護される。
【００１５】
また、上記梱包に際し、図４に示すように、照明器具Ｓの外周部に押されて揺動片８が揺動し、照明器具Ｓの外周部が嵌合穴９に嵌まり込むと、揺動片８が復元して、揺動片８の先端の突起１０が照明器具Ｓの外周部のフランジに係合するので、照明器具Ｓが緩衝材に一体的に保持され、緩衝材と照明器具Ｓとが擦れ動くことがない。
【００１６】
なお、梱包する物品が下方からの衝撃に弱いものである場合には、底板１の周縁部を切り込んで、隅板３に脚片を連設しておき、隅板３の起立に伴い、底板１から脚片が下方へ突出するようにしておくと、緩衝材の底板１と外箱１１の底壁との間に緩衝空間を設けることができる。
【図面の簡単な説明】
【００１７】
【図１】この発明の実施形態に係る緩衝材のブランクを示す図
【図２】同上の緩衝材を外箱に載せた状態を示す斜視図
【図３】同上の照明器具の梱包状態を示す斜視図
【図４】同上の端板及び隅板を示す拡大斜視図
【図５】従来の緩衝材を使用した炊飯器の梱包状態を示す斜視図
【符号の説明】
【００１８】
１  底板
２  端板
３  隅板
４  繋部
５  斜折線
６  谷折線
７  斜折線
８  揺動片
９  嵌合穴
１０  突起
１１  外箱
１２  側板
１３  フラップ
【図１】
2005298057.tif 000003
【図２】
2005298057.tif 000004
【図３】
2005298057.tif 000005
【図４】
2005298057.tif 000006
【図５】
2005298057.tif 000007